【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
転写物質を含む供与体層を備えた供与体要素と、
以下の、
（ａ）受容体支持体と、
（ｂ）前記転写物質を受容すべく前記受容体支持体の表面に適用された受容層と
を備えた受容体要素とを備える集成体であって、
前記受容層は、カプロラクトンポリマー組成物の全重量を基準にして約７０重量％〜１００重量％のカプロラクトンを含むカプロラクトンポリマー組成物と、セルロースエステル組成物の重量を基準にして、
（ｉ）プロピオニル基もしくはブチリル基またはプロピオニル基とブチリル基との組合せである約２０％〜約１００％の第１のエステル基と、
（ｉｉ）アセチル基である約２５％までの第２のエステル基と、
（ｉｉｉ）約１０％までのヒドロキシル基と
を含むセルロースエステル組成物とを含み、前記カプロラクトンポリマー組成物対前記セルロースエステル組成物の重量比は、約１対１よりも大きく、前記受容層は、前記供与体層に隣接することを特徴とする集成体。
【請求項２】
支持体に剥離可能に接合された供与体層を備えた供与体要素であって、前記供与体層が転写物質を含む供与体要素と、
以下の、
（ａ）受容体支持体と、
（ｂ）前記転写物質を受容すべく前記受容体支持体の表面に適用された画像受容層とを備えた受容体要素とを備えた集成体を形成する工程、および
前記転写物質を前記画像受容層に転写させて画像化受容体を形成するのに十分な化学線で前記集成体を画像様に露光する工程を含む画像化要素形成方法であって、
前記画像受容層は、カプロラクトンポリマー組成物の全重量を基準にして約７０重量％〜１００重量％のカプロラクトンを含むカプロラクトンポリマー組成物と、セルロースエステル組成物の重量を基準にして、
（ｉ）プロピオニル基もしくはブチリル基またはプロピオニル基とブチリル基との組合せである約２０％〜約１００％の第１のエステル基と、
（ｉｉ）アセチル基である約２５％までの第２のエステル基と、
（ｉｉｉ）約１０％までのヒドロキシル基と
を含むセルロースエステル組成物とを含み、前記カプロラクトンポリマー組成物対前記セルロースエステル組成物の重量比は、約１対１よりも大きく、前記供与体層は、前記画像受容層に隣接することを特徴とする画像化要素形成方法。
【請求項３】
請求項２に記載の画像様に露光された集成体から供与体要素の支持体を分離させて画像化受容体の画像化表面を露出させる工程と、前記画像化受容体を透過性基材に接合させてカラーフィルターを形成する工程とを含むことを特徴とするカラーフィルターの作製方法。
【請求項４】
請求項３に記載の方法により作製されたカラーフィルターを、導電性コーティング、液晶材料、および配向層と関連づける工程を含むことを特徴とする液晶ディスプレイデバイスの作製方法。
【手続補正２】
【補正対象書類名】明細書
【補正対象項目名】０１０１
【補正方法】変更
【補正の内容】
【０１０１】
先に記載した高分子配向層は、液晶技術分野で一般に使用される任意の物質でありうる。そのような物質の例としては、ポリイミド、ポリビニルアルコール、およびメチルセルロースが挙げられる。先に記載した透過性導電性電極もまた、液晶技術分野で慣用されるものである。そのような物質の例としては、インジウムスズ酸化物、酸化インジウム、酸化スズ、およびスズ酸カドミウムが挙げられる。
以下に、本明細書に記載される発明を列記する。
１．熱転写画像を受容するための受容体要素において、
受容体支持体と、
熱転写画像を受容すべく前記受容体支持体の表面に適用された画像受容層であって、前記画像受容層は、カプロラクトンポリマー組成物の全重量を基準にして約７０重量％〜約１００重量％のカプロラクトンを含むカプロラクトンポリマー組成物と、セルロースエステル組成物の重量を基準にして、
（ａ）プロピオニル基もしくはブチリル基またはプロピオニル基とブチリル基との組合せである約２０％〜約１００％の第１のエステル基と、
（ｂ）アセチル基である約２５％までの第２のエステル基と、
（ｃ）約１０％までのヒドロキシル基と
を含むセルロースエステル組成物とを含み、前記カプロラクトンポリマー組成物対前記セルロースエステル組成物の重量比は、約１対１よりも大きい画像受容層と
を備えることを特徴とする受容体要素。
２．前記画像受容層が、前記カプロラクトンポリマー組成物の全重量を基準にして、約９０重量％〜約１００重量％のカプロラクトンを含むことを特徴とする前記１．に記載の受容体要素。
３．前記画像受容層が、前記セルロースエステル組成物の重量を基準にして、
（ａ）プロピオニル基もしくはブチリル基またはプロピオニル基とブチリル基との組合せである約２５％〜約１００％の第１のエステル基と、
（ｂ）アセチル基である約１０％までの第２のエステル基と、
（ｃ）約３％までのヒドロキシル基と
を含むことを特徴とする前記１．に記載の受容体要素。
４．前記画像受容層がポリカプロラクトンとセルロースアセテートブチレートとを含むことを特徴とする前記１．に記載の受容体要素。
５．前記画像受容層がポリカプロラクトンとセルロースアセテートプロピオネートとを含むことを特徴とする前記１．に記載の受容体要素。
６．前記セルロースエステル組成物が約１２０〜約２２０℃の範囲の融点を有することを特徴とする前記１．に記載の受容体要素。
７．前記セルロースエステル組成物が約９０〜約１５０℃の範囲のガラス転移温度を有することを特徴とする前記１．に記載の受容体要素。
８．前記セルロースエステル組成物の分子量範囲が約５，０００〜約１５０，０００ダルトンの範囲であることを特徴とする前記１．に記載の受容体要素。
９．前記カプロラクトンポリマー組成物対前記セルロースエステル組成物の比が約７：３以上であることを特徴とする前記１．に記載の受容体要素。
１０．受容体要素の画像受容層を形成するための配合物であって、熱転写画像を受容するための前記配合物が、カプロラクトンポリマー組成物の全重量を基準にして約７０重量％〜１００重量％のカプロラクトンを含むカプロラクトンポリマー組成物と、セルロースエステル組成物の重量を基準にして、
（ａ）プロピオニル基もしくはブチリル基またはプロピオニル基とブチリル基との組合せである約２０％〜約１００％の第１のエステル基と、
（ｂ）アセチル基である約２５％までの第２のエステル基と、
（ｃ）約１０％までのヒドロキシル基と
を含むセルロースエステル組成物とを含み、前記カプロラクトンポリマー組成物対前記セルロースエステル組成物の重量比が、約１対１よりも大きいことを特徴とする配合物。
１１．前記配合物が、前記カプロラクトンポリマー組成物の全重量を基準にして、約９０重量％〜約１００重量％のカプロラクトンを含むことを特徴とする前記１０．に記載の配合物。
１２．前記配合物が、前記セルロースエステル組成物の重量を基準にして、
（ａ）プロピオニル基もしくはブチリル基またはプロピオニル基とブチリル基との組合せである約２５％〜約１００％の第１のエステル基と、
（ｂ）アセチル基である約１０％までの第２のエステル基と、
（ｃ）約３％までのヒドロキシル基と
を含むことを特徴とする前記１０．に記載の配合物。
１３．前記配合物がポリカプロラクトンとセルロースアセテートブチレートとを含むことを特徴とする前記１０．に記載の配合物。
１４．前記配合物がポリカプロラクトンとセルロースアセテートプロピオネートとを含むことを特徴とする前記１０．に記載の配合物。
１５．前記セルロースエステル組成物が約１２０〜約２２０℃の範囲の融点を有することを特徴とする前記１０．に記載の配合物。
１６．前記セルロースエステル組成物が約９０〜約１５０℃の範囲のガラス転移温度を有することを特徴とする前記１０．に記載の配合物。
１７．前記セルロースエステル組成物の分子量範囲が約５，０００〜約１５０，０００ダルトンの範囲であることを特徴とする前記１０．に記載の配合物。
１８．前記カプロラクトンポリマー組成物対前記セルロースエステル組成物の比が約７：３以上であることを特徴とする前記１０．に記載の配合物。
１９．転写物質を含む供与体層を備えた供与体要素と、
以下の、
（ａ）受容体支持体と、
（ｂ）前記転写物質を受容すべく前記受容体支持体の表面に適用された受容層と
を備えた受容体要素とを備える集成体であって、
前記受容層は、カプロラクトンポリマー組成物の全重量を基準にして約７０重量％〜１００重量％のカプロラクトンを含むカプロラクトンポリマー組成物と、セルロースエステル組成物の重量を基準にして、
（ｉ）プロピオニル基もしくはブチリル基またはプロピオニル基とブチリル基との組合せである約２０％〜約１００％の第１のエステル基と、
（ｉｉ）アセチル基である約２５％までの第２のエステル基と、
（ｉｉｉ）約１０％までのヒドロキシル基と
を含むセルロースエステル組成物とを含み、前記カプロラクトンポリマー組成物対前記セルロースエステル組成物の重量比は、約１対１よりも大きく、前記受容層は、前記供与体層に隣接することを特徴とする集成体。
２０．前記供与体要素が、前記供与体層に剥離可能に接合された支持体を備えることを特徴とする前記１９．に記載の集成体。
２１．前記受容層がセルロースアセテートブチレートを含むことを特徴とする前記１９．に記載の集成体。
２２．前記受容層がセルロースアセテートプロピオネートを含むことを特徴とする前記１９．に記載の集成体。
２３．前記セルロースエステル組成物が約１２０〜約２２０℃の範囲の融点を有することを特徴とする前記１９．に記載の集成体。
２４．前記セルロースエステル組成物が約９０〜約１５０℃の範囲のガラス転移温度を有することを特徴とする前記１９．に記載の集成体。
２５．前記セルロースエステル組成物の分子量範囲が約５，０００〜約１５０，０００ダルトンの範囲であることを特徴とする前記１９．に記載の集成体。
２６．前記カプロラクトンポリマー組成物対前記セルロースエステル組成物の比が約７：３以上であることを特徴とする前記１９．に記載の集成体。
２７．前記転写物質が着色材を含むことを特徴とする前記１９．に記載の集成体。
２８．前記転写物質が近赤外染料をさらに含むことを特徴とする前記１９．に記載の集成体。
２９．前記転写物質が顔料粒子を含むことを特徴とする前記１９．に記載の集成体。
３０．支持体に剥離可能に接合された供与体層を備えた供与体要素であって、前記供与体層が転写物質を含む供与体要素と、
以下の、
（ａ）受容体支持体と、
（ｂ）前記転写物質を受容すべく前記受容体支持体の表面に適用された画像受容層とを備えた受容体要素とを備えた集成体を形成する工程、および
前記転写物質を前記画像受容層に転写させて画像化受容体を形成するのに十分な化学線で前記集成体を画像様に露光する工程を含む画像化要素形成方法であって、
前記画像受容層は、カプロラクトンポリマー組成物の全重量を基準にして約７０重量％〜１００重量％のカプロラクトンを含むカプロラクトンポリマー組成物と、セルロースエステル組成物の重量を基準にして、
（ｉ）プロピオニル基もしくはブチリル基またはプロピオニル基とブチリル基との組合せである約２０％〜約１００％の第１のエステル基と、
（ｉｉ）アセチル基である約２５％までの第２のエステル基と、
（ｉｉｉ）約１０％までのヒドロキシル基と
を含むセルロースエステル組成物とを含み、前記カプロラクトンポリマー組成物対前記セルロースエステル組成物の重量比は、約１対１よりも大きく、前記供与体層は、前記画像受容層に隣接することを特徴とする画像化要素形成方法。
３１．前記供与体要素の剥離可能に接合された支持体を取り除いて前記受容体要素の画像化表面を露出させる工程と、前記画像化表面を画像固定要素に接触させる工程とをさらに含むことを特徴とする前記３０．に記載の方法。
３２．前記固定要素が漂白剤を含むことを特徴とする前記３０．に記載の方法。
３３．前記画像受容層がセルロースアセテートブチレートを含むことを特徴とする前記３０．に記載の方法。
３４．前記画像受容層がセルロースアセテートプロピオネートを含むことを特徴とする前記３０．に記載の方法。
３５．前記セルロースエステル組成物が約１２０〜約２２０℃の範囲の融点を有することを特徴とする前記３０．に記載の方法。
３６．前記セルロースエステル組成物が約９０〜約１５０℃の範囲のガラス転移温度を有することを特徴とする前記３０．に記載の方法。
３７．前記セルロースエステル組成物の分子量範囲が約５，０００〜約１５０，０００ダルトンの範囲であることを特徴とする前記３０．に記載の方法。
３８．前記カプロラクトンポリマー組成物対前記セルロースエステル組成物の比が約７：３以上であることを特徴とする前記３０．に記載の方法。
３９．前記転写物質が着色材を含むことを特徴とする前記３０．に記載の方法。
４０．前記転写物質が近赤外染料をさらに含むことを特徴とする前記３０．または３２．に記載の方法。
４１．前記転写物質が顔料粒子を含むことを特徴とする前記３０．に記載の方法。
４２．前記３０．に記載の画像様に露光された集成体から供与体要素の支持体を分離させて画像化受容体の画像化表面を露出させる工程と、前記画像化受容体を透過性基材に接合させてカラーフィルターを形成する工程とを含むことを特徴とするカラーフィルターの作製方法。
４３．前記４２．に記載の方法により作製されたカラーフィルターを、導電性コーティング、液晶材料、および配向層と関連づける工程を含むことを特徴とする液晶ディスプレイデバイスの作製方法。